(57)【要約】      （修正有）【課題】厚さ及び重量を加える外側垂れ部が自然に垂れ下がることによって、ずれにくく便座に固定することができる便座シートを提供する。【解決手段】柔軟性、所定の重量、所定の厚さを備えると共に、便座の形状と対応する環状のシート本体と、外周面に重量及び厚さを加える重量増加部４０を設ける。さらに、該重量増加部４０に折り畳み凹部６０が凹設されるように、該シート本体の周囲に設けられる外側垂れ部１０と、該外側垂れ部１０に囲まれるように設けられる内側垂れ部２０と、該内側垂れ部２０に囲まれて該シート本体を貫通するように形成される排泄孔５０とを設ける。【選択図】図１
0003174774.tif 000002
【実用新案登録請求の範囲】
【請求項１】
柔軟性、所定の重量、所定の厚さを備えると共に、便座の形状と対応する環状のシート本体と、
外周面に重量及び厚さを加える重量増加部４０が設けられると共に、該重量増加部４０に折り畳み凹部６０が凹設されるように、前記シート本体の周囲に設けられる外側垂れ部１０と、
前記外側垂れ部１０に囲まれるように設けられる内側垂れ部２０と、
前記内側垂れ部２０に囲まれて前記シート本体を貫通するように形成される排泄孔５０と、を有することを特徴とする携帯可能な敷き便座シート。
【請求項２】
前記重量増加部４０が前記外側垂れ部１０の外周面に一体に成形されることを特徴とする請求項１に記載の携帯可能な敷き便座シート。
【請求項３】
前記外側垂れ部１０に複数の折り畳み凹部６０を有し、また、該複数の折り畳み凹部６０が前記重量増加部４０に間隔をおいて凹設されることを特徴とする請求項２に記載の携帯可能な敷き便座シート。
【請求項４】
前記折り畳み凹部６０Ａと対応するように、前記外側垂れ部１０Ａにおける該折り畳み凹部６０Ａと反対する側に、複数の補助折り畳み凹部７０Ａが凹設されることを特徴とする請求項３に記載の携帯可能な敷き便座シート。
【請求項５】
前記外側垂れ部１０Ａに、３つまたは５つの折り畳み凹部６０を有することを特徴とする請求項２に記載の携帯可能な敷き便座シート。
【請求項６】
前記外側垂れ部１０Ａにおける重量増加部４０、４０Ａは、ワイヤなどの重量を有するものとすることを特徴とする請求項１に記載の携帯可能な敷き便座シート。
【考案の詳細な説明】
【技術分野】
【０００１】
本考案は、トイレ用品に関し、特に厚さ及ぶ重量を加える外側垂れ部が自然に垂れ下がることによって、ずれにくく便座に固定することができる便座シートに関するものである。
【背景技術】
【０００２】
公衆トイレは誰もが利用できるので、便座は細菌やウイルスなどで汚れ、使用者の皮膚が汚れる。便座と接触すれば、皮膚病や性病などを起こすおそれがあり、したがって、隔離可能な便座シートを開発し、便器を改良して自動的に便座シートを取り替えるものもあるが、一般の従来の便座シートは、図１０に示すように、その便座シート８０は、便座９０の形状と対応するように製造され、便座９０に敷いて便器を衛生的に使えるものであり。その便座９０は、略楕円形を呈し、中央に略楕円形の排泄孔が形成され、内側縁部及び外側縁部にそれぞれ略楕円形の外側垂れ部９２及び内側垂れ部９３が設けられる。従来の便座シート８０を使用する時、外側垂れ部９２及び内側垂れ部９３に接触するように便座９０の表面に敷き、使用者が便座９０に座って便器を衛生的に利用することができる。
【０００３】
しかしながら、従来の便座シート８０は便座９０に敷くだけで、所定の位置に固定するための構造がないので、使用者が便座シート８０上に座る時、便座シート８０がずれやすく便座に固定することができないことから、使用者の皮膚が便座９０に接触する場合があって、皮膚病又は性病を起こすおそれがあった。
【０００４】
また、他の既存の便座シートは、粘着剤や、両面接着テープ、粘着ベルトなどの粘着部材を用いて便座に固定するものも開発されたが、それら粘着部材の固定効果が低下し、便座に粘着してもずれる場合があった。なお、それら粘着部材を使う手間がかかって不便なところがあり、例えば、粘着部材の粘着剤を別れにくいや、便座シートが便座に貼り付きにくい、粘着剤がアレルギー反応を起こすなどの欠点があった。
【０００５】
さらに、既存の便座シートは、ホック付きの型も開発され、ホックを介して便座９０の外側垂れ部９２及び内側垂れ部９３に掛けて便座に固定することができる。しかしながら、便座がいろいろなサイズや型などを有するので、ホック付きの型の便座シートだけで全部の便座に合うことが不可能であった。
【０００６】
既存の便座シートは、使い捨て式が多いので、便器に流さない、またはトイレを汚れるなどの問題をおこす場合もあり、なお、公衆トイレに便座シートを提供しない場合もあった。
【考案の概要】
【考案が解決しようとする課題】
【０００７】
従来の便座シートは、便座に固定するための構造がないので、ずれやすく便座に固定することができず、使用者の皮膚が汚れる便座９０に接触すれば、皮膚病又は性病を起こすおそれがあった。また、既存の便座シートは、粘着部材付きの型を開発したが、それら粘着部材の固定効果が低下し、使い手間もかかって非常に不便であった。さらに、使い捨ての便座シートもあるが、便器に流さない、またはトイレを汚れるなどの問題が起きるという問題もあった。上述した問題を解決するために、本考案は、ずれにくく、簡単に便座に敷いて使える携帯可能な便座シートを提供する。
【課題を解決するための手段】
【０００８】
本考案に係る携帯可能な敷き便座シートは、柔軟性、所定の重量、所定の厚さを備えると共に、便座の形状と対応する環状のシート本体と、
外周面に重量及び厚さを加える重量増加部４０が設けられると共に、該重量増加部４０に折り畳み凹部６０が凹設されるように、前記シート本体の周囲に設けられる外側垂れ部１０と、
前記外側垂れ部１０に囲まれるように設けられる内側垂れ部２０と、
前記内側垂れ部２０に囲まれて前記シート本体を貫通するように形成される排泄孔５０と、を有するものである。
【０００９】
前記重量増加部４０が前記外側垂れ部１０の外周面に一体に成形されてよい。
【００１０】
前記外側垂れ部１０に複数の折り畳み凹部６０を有し、また、該複数の折り畳み凹部６０が前記重量増加部４０に間隔をおいて凹設されることが好ましい。
【００１１】
前記折り畳み凹部６０Ａと対応するように、前記外側垂れ部１０Ａにおける該折り畳み凹部６０Ａと反対する側に、複数の補助折り畳み凹部７０Ａが凹設されることが好ましい。
【００１２】
前記外側垂れ部１０Ａに、３つまたは５つの折り畳み凹部６０を有してもよい。
【００１３】
前記外側垂れ部１０Ａにおける重量増加部４０、４０Ａは、ワイヤなどの重量を有してもよい。
【考案の効果】
【００１４】
本考案に係る携帯可能な敷き便座シートは上記の如く、以下の効果を提供できる。
ずれにくく、簡単に位置決める：本考案は、外側垂れ部１０に重量増加部４０が設けられることから、その重量増加部４０の重さによって、重量増加部４０及び外側垂れ部１０が自然に垂れ下がり、外側垂れ部１０の内周面が便座９０の表面にぴったりと着接することができ、便座シートに、ずれにくく簡単に位置を決めて固定効果を提供する。また、本考案に係る便座シートは、サドルのように便座に敷いて位置決めることもできる。
携帯可能な利便性を有する：本考案に係る便座シートに折り畳み凹部６０が凹設されることから、シート本体を折り畳んで使用者が簡単に携帯することができる。
サイズや型などが似た便座に使える：本考案に係る便座シートは、主に、重量増加部４０の重さによって、外側垂れ部１０を垂れ下がられ、便座９０にぴったりと着接させることから、サイズや型が似た便座にも使える。
再利用できる：本考案に係る便座シートを使用した後、綺麗に洗って衛生的に消毒すれば、再利用できて非常に便利である。
変形し難い：本考案に係る便座シートは、重量増加分を設けることから、シート本体の厚さが増えると共に、形状を保持することができ、お尻が便座シートに座って移動しても便座シートをずれない。
水に濡れ難い：本考案に係る便座シートは、水を吸わない材質からなることから、既存の紙製の便座シートが水に濡れて使えないと共に、便座上の汚れる水を吸収して皮膚と接触するという欠点を解消できる。
【図面の簡単な説明】
【００１５】
【図１】本考案に係る携帯可能な敷き便座シートにおける第一実施例の展開状態を示す正面図である。
【図２】本考案に係る携帯可能な敷き便座シートにおける第一実施例において、便座に敷く状態を示す部分断面斜視図である。
【図３】図２における３−３の拡大断面図である。
【図４】図２における４−４の拡大断面図である。
【図５】図１における外側垂れ部を露出させるように、重量増加部に凹設される折り畳み凹部を示す部分拡大側面図である。
【図６】図５における便座シートを折り畳んだ状態を示す部分拡大側面図である。
【図７】本考案に係る携帯可能な敷き便座シートにおける第二実施例における、外側垂れ部の両側にそれぞれ凹設される折り畳み凹部及び補助折り畳み凹部を示す部分拡大側面図である。
【図８】図７における便座シートを折り畳んだ状態を示す部分拡大側面図である。
【図９】本考案に係る携帯可能な敷き便座シートにおける第三実施例の展開状態を示す正面図である。
【図１０】従来の便座シート及び便座の分解斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
本考案に係る携帯可能な敷き便座シートは、柔軟性、弾力性、所定の重量、所定の厚さを備える、便座の形状と対応する環状のシートであり、そのシートは、高分子材料から構成し、化学的安定性を備え、水を吸わない特性を有し、例えば、ゴム、或いは、ポリエチレンシートなどの材料からなるものである。
【００１８】
図１及び図２に示すように、本考案に係る携帯可能な敷き便座シートにおける第一実施例は、シート本体と、外側垂れ部１０と、内側垂れ部２０と、着き凹部３０と、重量増加部４０と、排泄孔５０と、折り畳み凹部６０と、を有する。
【００１９】
図２及び図４に示すように、前記外側垂れ部１０は、Ｕ字形を呈し、前記シート本体の周囲に設けられ、前記内側垂れ部２０は、該外側垂れ部１０に囲まれて環状を呈し、前記着き凹部３０は、前記シート本体の底面における該外側垂れ部１０と該内側垂れ部２０との間に、Ｕ字形に凹設される。
【００２０】
図３及び図４に示すように、前記重量増加部４０は、前記外側垂れ部１０に設けられ、該外側垂れ部１０と同一のＵ字形を呈しても構わなく、該外側垂れ部１０の外周面に一体に成形されても構わない。また、その重量増加部４０と外側垂れ部１０との最大厚幅の和が前記内側垂れ部２０の最大広幅の二分の一より大きいことが好ましい。
【００２１】
図１に示すように、前記排泄孔５０は、前記内側垂れ部２０に囲まれてシート本体を貫通するように形成され、該排泄孔５０における面積が該シート本体の面積の三分の一より大きいである。図２に示すように、本考案に係る携帯可能な敷き便座シートにおける第一実施例において、便座シートを便座９０に敷いて使用する時、着き凹部３０が便座９０と対応するように、便座シートを便座９０に被覆する。図３に示すように、外側垂れ部１０に重量増加部４０が設けられることから、重量増加部４０の重さによって、重量増加部４０及び外側垂れ部１０が自然に垂れ下がり、外側垂れ部１０の内周面が便座９０の表面にぴったりと着接することができ、便座シートに、ずれにくく簡単に位置決めて固定効果を提供する。
【００２２】
図５に示すように、前記便座シートは、さらに、前記外側垂れ部１０を露出させるように、前記重量増加部４０を、間隔をおいて切り欠いて複数の折り畳み凹部６０が凹設され、該折り畳み凹部６０を凹設する部分が該重量増加部４０より薄いので、便座シートを簡単に折り畳むことができる。それら折り畳み凹部６０が３つ形成することが好ましい。図１及び図６に示すように、本考案に係る第一実施例は、シート本体の片面に折り畳み凹部６０が凹設されることから、片側凹型という構造となり、それら折り畳み凹部６０によって、シート本体を二回折り畳むことができ、使用者が簡単に携帯することができる。図１の点線は、折り畳み線である。
【００２３】
図７に示すように、本考案に係る第二実施例は、殆ど第一実施例と同一であり、異なるところは、便座シートに複数の補助折り畳み凹部７０Ａが形成され、該補助折り畳み凹部７０Ａの数が折り畳み凹部６０Ａの数と対応し、且つ、該補助折り畳み凹部７０Ａは、該折り畳み凹部６０Ａと対応するように、外側垂れ部１０Ａにおける重量増加部４０Ａと反対する側に凹設される。図８は第二実施例を折り畳む状態を示す部分拡大図である。本考案に係る第二実施例は、シート本体の両側にそれぞれ、折り畳み凹部６０Ａ及び補助折り畳み凹部７０Ａが凹設されることから、両側凹型という構造となり、それら折り畳み凹部６０Ａ及び補助折り畳み凹部７０Ａによって、該シート本体を簡単に折り畳むことができる。
【００２４】
図９に示すように、本考案に係る第三実施例は、殆ど第一実施例と同一であり、異なるところは、折り畳み凹部６０Ｂが５つ形成される。また、第三実施例における便座シートは、それら５つの折り畳み凹部６０Ｂによって、三回折り畳むことができる。図９の点線は、米字形を呈する折り畳み線である。
【００２５】
本考案に係る各実施例における重量増加部４０、４０Ａは、垂れ下がるための重量を提供できる如何な部材としても構わなく、例えば、ワイヤなどを設置すれば、垂れ下がる重さによって、外側垂れ部１０、１０Ａをぴったりと便座９０に合って敷設させることができる。また、本考案は、折り畳み凹部６０、６０Ａ、６０Ｂ及び補助折り畳み凹部７０Ａを形成しなくても構わず、重量増加部４０、４０Ａが重量を有するものであれば、外側垂れ部１０Ａを便座９０にぴったりと合って敷設させることができる。
【００２６】
本考案における外側垂れ部１０、１０Ａ、内側垂れ部２０、重量増加部４０、４０Ａはそれぞれ、Ｕ字形を呈してもよく、環状を呈してもよく、重量増加部４０、４０Ａが重量を有するものであれば、外側垂れ部１０、１０Ａを自然に垂れ下がる重さを提供することができる。
【００２７】
なお、材料力学について、湾曲形状を有する如何な物でも、必ず何処かに張力（Ｔｅｎｓｉｏｎ）を受け、何処かに圧力（Ｃｏｍｐｒｅｓｓｉｏｎ）を受け、また、その物の厚さが厚ければ厚いほど受け力が大きくなる。そのため、本考案に係る携帯可能な敷き便座シートは、折り畳み凹部６０、６０Ａ及び補助折り畳み凹部７０Ａを形成して重量増加部４０、４０Ａより薄くすることから、シート本体を折り畳む時に、受けた力を大幅に減少することができる。本考案に係る各実施例の中で、第二実施例が他よりいい効果が出るものである。
【産業上の利用可能性】
【００２８】
本考案は上記の構成を有することから、以下の効果を提供できる。
ずれにくく、簡単に位置決める：本考案は、外側垂れ部１０に重量増加部４０が設けられることから、その重量増加部４０の重さによって、重量増加部４０及び外側垂れ部１０が自然に垂れ下がり、外側垂れ部１０の内周面が便座９０の表面にぴったりと着接することができ、便座シートに、ずれにくく簡単に位置決めて固定効果を提供する。また、本考案に係る便座シートは、サドルのように便座に敷けば使えて位置決めることもできる。
携帯可能な利便性を有する：本考案に係る便座シートに折り畳み凹部６０が凹設されることから、シート本体を折り畳んで使用者が簡単に携帯することができる。
サイズや型などが似た便座に使える：本考案に係る便座シートは、主に、重量増加部４０の重さによって、外側垂れ部１０を垂れ下がられ、便座９０にぴったりと着接させることから、サイズや型が似た便座にも使える。
再利用できる：本考案に係る便座シートを使用した後、綺麗に洗って衛生的に消毒すれば、再利用できて非常に便利である。
変形し難い：本考案に係る便座シートは、重量増加分を設けることから、シート本体の厚さが増えると共に、形状を保持することができ、お尻が便座シートに座って移動しても便座シートをずれない。
水に濡れ難い：本考案に係る便座シートは、水を吸わない材質からなることから、既存の紙製の便座シートが水に濡れて使えないと共に、便座上の汚れる水を吸い込んで皮膚と接触するという欠点を解消できる。
【符号の説明】
【００２９】
１０、１０Ａ        外側垂れ部
２０                      内側垂れ部
３０                      着き凹部
４０、４０Ａ        重量増加部
５０                      排泄孔
６０、６０Ａ、６０Ｂ折り畳み凹部
７０Ａ                補助折り畳み凹部
８０                      便座シート
９０                      便座
９２                      外側垂れ部
９３                      内側垂れ部
【図１０】
0003174774.tif 000003
【図１】
0003174774.tif 000004
【図２】
0003174774.tif 000005
【図３】
0003174774.tif 000006
【図４】
0003174774.tif 000007
【図５】
0003174774.tif 000008
【図６】
0003174774.tif 000009
【図７】
0003174774.tif 000010
【図８】
0003174774.tif 000011
【図９】
0003174774.tif 000012
【手続補正書】
【提出日】平成24年2月8日(2012.2.8)
【手続補正１】
【補正対象書類名】明細書
【補正対象項目名】０００８
【補正方法】変更
【補正の内容】
【０００８】
本考案に係る提携可能な敷き式便座シートは、柔軟性、所定の重量、所定の厚さを備えると共に、便座の形状と対応する環状のシート本体と、
外周面に重量及び厚さを加える重量増加部４０が設けられると共に、該重量増加部４０に折り畳み凹部６０が凹設されるように、前記シート本体の周囲に設けられる外側垂れ部１０と、
前記外側垂れ部１０に囲まれるように設けられる内側垂れ部２０と、
前記内側垂れ部２０に囲まれて前記シート本体を貫通するように形成される排泄孔５０と、を有するものであり、シートからの張力及び重力によって、便座シートを便座に敷くと簡単に位置決めることができ、既存の便座シートにおける粘着や掛合などの技術手段と異なり、当業者が簡単に想到することができないので、進歩性を有し、また、本考案に係る便座シートは、産業に実施することができて利用できるものであり、出願前に、刊行物などに記載されたことがなく、公開したこともなく、公然と知られたものではないので、産業利用性及び新規性があると考えられる。
【手続補正２】
【補正対象書類名】実用新案登録請求の範囲
【補正対象項目名】全文
【補正方法】変更
【補正の内容】
【実用新案登録請求の範囲】
【請求項１】
柔軟性、所定の重量、所定の厚さを備えると共に、便座の形状と対応する環状のシート本体と、
外周面に重量及び厚さを加える重量増加部が設けられると共に、該重量増加部に折り畳み凹部が凹設されるように、前記シート本体の周囲に設けられる外側垂れ部と、
前記外側垂れ部に囲まれるように設けられる内側垂れ部と、
前記内側垂れ部に囲まれて前記シート本体を貫通するように形成される排泄孔と、を有することを特徴とする提携可能な敷き式便座シート。
【請求項２】
前記重量増加部が前記外側垂れ部の外周面に一体に成形されることを特徴とする請求項１に記載の提携可能な敷き式便座シート。
【請求項３】
前記外側垂れ部に複数の折り畳み凹部を有し、また、該複数の折り畳み凹部が前記重量増加部に間隔をおいて凹設されることを特徴とする請求項２に記載の提携可能な敷き式便座シート。
【請求項４】
前記折り畳み凹部と対応するように、前記外側垂れ部における該折り畳み凹部と反対する側に、複数の補助折り畳み凹部が凹設されることを特徴とする請求項３に記載の提携可能な敷き式便座シート。
【請求項５】
前記外側垂れ部に、３つまたは５つの折り畳み凹部を有することを特徴とする請求項２に記載の提携可能な敷き式便座シート。
【請求項６】
前記外側垂れ部における重量増加部は、ワイヤなどの重量を有するものとすることを特徴とする請求項１に記載の提携可能な敷き式便座シート。